(57)【特許請求の範囲】
【請求項１】
太陽エネルギー変換モジュールを備える太陽電池パネルの流れ方向の端縁を排水部を備える縦支持材にて支持し、桁行き方向の端縁を流水部を備える横支持材にて支持する太陽電池パネルを用いた外装構造の室内側に、外設部材を取り付ける取付構造であって、
前記縦支持材の下方に取付基材を配し、該取付基材に外設部材を取り付けてなり、
取付基材は、側方を縦支持材に固定していることを特徴とする外設部材の取付構造。
【請求項２】
太陽エネルギー変換モジュールを備える太陽電池パネルの流れ方向の端縁を排水部を備える縦支持材にて支持し、桁行き方向の端縁を流水部を備える横支持材にて支持する太陽電池パネルを用いた外装構造の室内側に、外設部材を取り付ける取付構造であって、
前記縦支持材の下方に取付基材を配し、該取付基材に外設部材を取り付けてなり、
取付基材は、嵌合部を備え、縦支持材に設けた被嵌合部に弾性的に嵌合していることを特徴とする外設部材の取付構造。
【請求項３】
太陽エネルギー変換モジュールを備える太陽電池パネルの流れ方向の端縁を排水部を備える縦支持材にて支持し、桁行き方向の端縁を流水部を備える横支持材にて支持する太陽電池パネルを用いた外装構造の室内側に、外設部材を取り付ける取付構造であって、
前記縦支持材の下方に取付基材を配し、該取付基材に外設部材を取り付けてなり、
取付基材は、縦支持材の下面との間に空間を隔てて固定されていることを特徴とする外設部材の取付構造。
【請求項４】
縦支持材に設けた排水部と横支持材に設けた流水部とは連絡させていることを特徴とする請求項１〜３の何れか一項に記載の外設部材の取付構造。
【請求項５】
外設部材は、蛍光灯であることを特徴とする請求項１〜４の何れか一項に記載の外設部材の取付構造。
【発明の詳細な説明】
【技術分野】
【０００１】
本発明は、太陽電池パネルを用いた外装構造の室内側に蛍光灯等の外設部材を任意の位置に取り付けることができ、天井材（天井仕上げ）を構築しない建築物に好適に利用される外設部材の取付構造に関する。
【背景技術】
【０００２】
光エネルギーを電気エネルギーに変換する太陽光発電は、クリーンエネルギーを得る手段として幅広い利用が期待され、近年、建築物の屋根、壁等に適用されるようになり、生活に必要な電力を補うシステムとして実用化されている。特に倉庫や壁面が構築されない開放型の建築物等にあっては、鉄骨や母屋等の構造材の下方（室内側）に天井仕上げを行わない建築物が存在するが、このような倉庫や開放型の建築物へ、太陽エネルギー変換モジュール（太陽電池パネル）を設置することが期待されている。
建築物の屋根に太陽電池パネルを設置する場合、支持架台を取付固定して太陽電池パネルを支持する構造、また特許文献１などに開示されるように、太陽電池パネルを複雑な形状のフレーム部材で囲ってパネルを構成して屋根に組み込む構造が提案されている。
【０００３】
しかし、屋根上に支持架台を介して太陽電池パネルを取り付ける構造では、既設の屋根上に支持架台を取付固定する際に雨仕舞いを損なわない限りは問題は生じないが、前記支持架台を確実にかつ強固に取り付ける必要があるため、建築物自体の意匠性を損なうという問題があった。
また、前記複雑な形状のフレーム材を用いる構造では、フレーム材に複数の排水部を設けたり、さらに複数の部材を組み付けて雨水の浸入を防止するか、浸入した雨水を排水する方法が採られている。そもそもこの方法は、フレーム材の構造が極めて複雑であって、その生産や管理が面倒であり、さらにはジョイント部分での部材数の増加を招き、コスト高騰という問題を抱えている。
【先行技術文献】
【特許文献】
【０００４】
【特許文献１】特開平７−２３７６９号公報
【発明の概要】
【発明が解決しようとする課題】
【０００５】
前述のように倉庫や開放型の建築物のように下方（室内側）に天井仕上げを行わない建築物が存在するが、このような建築物に太陽電池パネルを設置する場合、本来天井面に取り付けられる蛍光灯等の外設部材が、母屋等の構造材や母屋上に固定される支持架台に固定する必要がある。
しかし、前者の場合、構造材間隔が大きく、取付ピッチが制限され、取付等に関して制限が多く、後者の場合、雨仕舞上の問題が生じる恐れがあった。
また、前述の特許文献１の構成を適用した場合、例えば蛍光灯などの外設部材を取り付けようとすると、母屋８の下面側に外設部材を取り付ける他はなく、取付位置が限定されるため、極めて見栄えが悪く、また外設部材による装飾機能が低いものであった。
また、前記特許文献１では、太陽電池パネルの周囲に左右の側枠、上枠、下枠を取り付ける構成であるため、縦横の寸法が異なる太陽電池パネルに対応させる場合には、その長さに応じて左右の側枠、上枠、下枠を用意する必要があるため、極めて面倒であり、コストがかかるものであった。
そこで、本発明は、太陽電池パネルを用いた外装構造の室内側に、蛍光灯等の各種の外設部材を任意の位置に取り付けることができ、天井材（天井仕上げ）を構築しない建築物に好適に利用されるる外設部材の取付構造を提供することを目的とする。
【課題を解決するための手段】
【０００７】
本発明は、上記に鑑み提案されたもので、太陽エネルギー変換モジュールを備える太陽電池パネルの流れ方向の端縁を排水部を備える縦支持材にて支持し、桁行き方向の端縁を流水部を備える横支持材にて支持する太陽電池パネルを用いた外装構造の室内側に、外設部材を取り付ける取付構造であって、前記縦支持材の下方に取付基材を配し、該取付基材に外設部材を取り付けてなり、取付基材は、側方を縦支持材に固定していることを特徴とする外設部材の取付構造に関するものである。
【０００８】
また、本発明は、太陽エネルギー変換モジュールを備える太陽電池パネルの流れ方向の端縁を排水部を備える縦支持材にて支持し、桁行き方向の端縁を流水部を備える横支持材にて支持する太陽電池パネルを用いた外装構造の室内側に、外設部材を取り付ける取付構造であって、前記縦支持材の下方に取付基材を配し、該取付基材に外設部材を取り付けてなり、取付基材は、嵌合部を備え、縦支持材に設けた被嵌合部に弾性的に嵌合していることを特徴とする外設部材の取付構造をも提案する。
【０００９】
また、本発明は、太陽エネルギー変換モジュールを備える太陽電池パネルの流れ方向の端縁を排水部を備える縦支持材にて支持し、桁行き方向の端縁を流水部を備える横支持材にて支持する太陽電池パネルを用いた外装構造の室内側に、外設部材を取り付ける取付構造であって、前記縦支持材の下方に取付基材を配し、該取付基材に外設部材を取り付けてなり、取付基材は、縦支持材の下面との間に空間を隔てて固定されていることを特徴とする外設部材の取付構造をも提案する。
【００１０】
また、本発明は、前記取付構造において、縦支持材に設けた排水部と横支持材に設けた流水部とを連絡させていることを特徴とする外設部材の取付構造をも提案する。
【００１１】
さらに、本発明は、前記取付構造において、外設部材は、蛍光灯であることを特徴とする外設部材の取付構造をも提案する。
【発明の効果】
【００１２】
本発明の外設部材の取付構造は、太陽電池パネルの流れ方向に沿う端縁を支持する縦支持材の下方に取付基材を配し、該取付基材に外設部材を取り付けるので、任意の位置に外設部材を取り付けることができる。
そのため、太陽電池パネルを用いた外装構造の室内側に、例えば蛍光灯のように光源を取り付けて室内空間を装飾することもできるし、他の装飾効果を有する外設部材を取り付けるようにしてもよく、或いは送風機や発熱体などの外設部材を取り付けるようにしてもよく、機能性に富んだ天井構造を構築できるものである。
また、本発明では、外設部材を、従来のように母屋に取り付けるものではなく、縦支持材の下方に配した取付基材に取り付けるので、任意の位置に取り付けることができ、例えば蛍光灯のように複数の外設部材を取り付ける場合などは、効率のよい箇所に取り付けて装飾効果を高めることができる。
【００１３】
また、取付基材は、例えば縦支持材の下面（底面）に固定する場合にはビス穴から雨水が漏れることがあるが、側方を縦支持材に固定している場合、ビス等にて固定しても雨水漏れなどを生ずることなく容易に取り付けることができる。
【００１４】
また、取付基材は、嵌合部を備え、縦支持材に設けた被嵌合部に弾性的に嵌合している場合、下方から押し付けるだけの簡単な操作で取付基材を取り付けることができ、固定具の打ち込み作業に際して、下方から保持した状態で行う必要が無く、容易に固定具を打ち込むことができる。
【００１５】
また、取付基材は、縦支持材の下面（底面）との間に空間を隔てて固定されている場合とは、縦支持材から間隔を隔てて取付部材を取り付けている態様と、縦支持材の底面自体に隆起部が形成されている態様とを指し、前者の態様では、外設部材を取付基材に固定する際に、その先端（上端）が縦支持材に達しないように取付金具を下方から打ち込むことできる。この場合、取付金具の先端（上端）が前記間隔に位置するように取り付けられれば、縦支持材の排水部の底部に孔を開けることがないため、漏水を生ずることがない。後者の態様では、取付金具を裏面側から隆起部へ打ち込むことができ、仮に隆起部が縦支持材の排水部に設けられていても漏水を生ずることがない。
【００１６】
また、横支持材は流水部を備え、縦支持材は排水部を備え、前記流水部と前記排水部とは連絡させている場合、雨水が例えば太陽電池パネルの端縁から裏面側へ浸入しても、横支持材の流水部から、縦支持材の排水部に導かれ、水下側へ流下させることができる。
【００１７】
さらに、外設部材が蛍光灯である場合、天井部分付近が明るく照らされ、広い室内空間を意識させることに寄与するものとなる。また、太陽電池パネルと共に、採光板を備える採光パネルを取り付けることにより、日中は、採光パネルによる日差しを室内に取り入れることができ、夜間は蛍光灯が室内を照らすことができ、一日中にわたって明るい室内空間を形成することに寄与するものとなる。
【図面の簡単な説明】
【００１８】
【図１】本発明の外装構造の一実施例（第１実施例）の要部を拡大して示す断面図である。
【図２】前記第１実施例の要部を拡大して示す側断面図である。
【図３】（ａ）前記第１実施例に用いたフレーム材の断面図、（ｂ）縦化粧材の断面図、（ｃ）縦桟カバーを含む支持構造の断面図、（ｄ）縦支持材の断面図、（ｅ）取付基材の断面図、（ｆ）外設部材（蛍光灯）の断面図、（ｇ）横桟カバーを含む支持構造の側断面図、（ｈ）横支持材の側断面図である。
【発明を実施するための形態】
【００１９】
本発明の外設部材の取付構造は、太陽電池パネルと、該太陽電池パネルの桁行き方向に沿う端縁を支持する横支持材と、流れ方向に沿う端縁を支持する縦支持材と、該縦支持材の下方に配する取付基材と、該取付基材に取り付ける外設部材と、からなる構成である。
【００２０】
前記太陽電池パネルは、太陽エネルギー変換モジュール（以下、太陽電池という）を備えるものであって、特にそれ以外の構成を限定するものではない。
例えば太陽電池を複数（並列状に）備える構成でもよいし、後述する図示実施例のように、その周縁をシール材を介してフレームで取り囲んだ構成としてもよい。
【００２１】
前記太陽電池パネルにおける太陽電池としては、多結晶，単結晶，アモルファス等、どのようなものを用いてもよい。一般的に太陽電池は、導電性基体、裏面反射層、光電変換部材としての半導体層、透明導電層から構成され、上記導電性基体としては、例えば鋼板、銅、チタン、アルミニウム、ステンレス、カーボンシートを用いることができ、その他にも導電層が設けられたポリエステル、ポリイミド、ポリエチレンナフタライド、エポキシ等の樹脂フィルムやセラミックス等を用いることもできる。前記半導体層は特に限定するものではなく、アモルファスシリコン半導体、多結晶シリコン半導体、結晶シリコン半導体、銅インジウムセレナイド等の化合物半導体を用いることができる。例えば近年提案された可撓性を有するアモルファスシリコン太陽電池は極めて薄肉で軽量であるため好ましい。
【００２２】
前記太陽電池パネルは、前述のようにその周縁に、フレームを配してもよい。
このフレームは、太陽電池の周縁を保持して縦支持材や横支持材に支持されるものであり、言い換えれば、太陽電池の周縁を保持する保持部と、縦支持材や横支持材の支持部に支持される被支持部を有する構成であり、それ以外の構成は特に限定するものではない。
【００２３】
前記縦支持材は、前記太陽電池パネルの縦方向（流れ方向）の端縁を支持する部材であり、流れ方向に連続する通し材でもよいし、所定長さの定尺材を連結材にて接続した構成でもよい。
この縦支持材は、躯体上に固定される固定部と、太陽電池パネルを支持する支持部と、雨水を流れ方向に流す排水部と、を必須構成として備え、望ましくは、太陽電池のケーブルを収容する収容空間と、後述する取付基材を弾性的に嵌合するための構成（被嵌合部）と、を備える。
【００２４】
前記縦支持材の支持部は、太陽電池パネルの周縁のうち、左右の端縁を支持するものであって、例えば後述する図示実施例のように上方へ延在させた起立片の上端に設けてもよい。
【００２５】
前記縦支持材の固定部は、躯体としての梁上に固定されるものであり、梁に載置した部分に固定具を打ち込んで固定するものでもよいし、例えば後述する図示実施例のように隆起部を設け、該隆起部に固定具を打ち込むものでもよい。また、固定具に限らず、梁が高強度鋼材の場合などには、一種又は二種以上の固定金具を介して梁に穴を形成することなく取り付けるようにしてもよく、またこの固定部の具体的形状については、平坦状、隆起状に限らず、どのような形状でもよい。
【００２６】
また、前記縦支持材の排水部は、流れ方向に連続するものであって、一般的に樋状に形成されるものであり、後述する図示実施例のように左右に別々に設けてもよい。
後述する横支持材を載置状に取り付ける（支持させる）側壁は、この排水部の側壁（側面部）を兼ねるものであり、内側へ延在させてフランジ状に形成して安定に支持するようにしてもよい。
【００２７】
前記横支持材は、太陽電池パネルの周縁のうち、桁行き方向の端縁を支持するものであって、太陽電池パネルの横方向（桁行き方向）の寸法（長さ）と略同一か短く形成される定尺材である。
この横支持材は、前記縦支持材の側壁上端に固定される固定部と、太陽電池パネルを支持する支持部と、雨水を桁行き方向に流す流水部と、を必須構成として備え、望ましくは太陽電池のケーブルを収容する収容空間を備える。
【００２８】
前記横支持材の支持部は、太陽電池パネルの周縁のうち、水上側及び水下側の端縁を支持するものであって、例えば後述する図示実施例のように前記流水部の略中央に中央隆起部を設け、該中央隆起部に設けてもよい。
【００２９】
前記横支持材の固定部は、前記縦支持材の側壁上端に固定されるものであり、その具体的形状については、特に限定するものではなく、後述する図示実施例のように、排水部内（の直上）にてビス等で固定するものでもよい。
【００３０】
前記横支持材の流水部は、前記固定部よりも高い位置に一般的に樋状に形成されるものであり、後述する図示実施例のように水上側と水下側に別々に設けてもよい。
この流水部の内部に導かれた雨水は、桁行き方向に流れて連結した縦支持材の排水部内に導かれ、この排水部により水下方向へ排水される。
【００３１】
前記取付基材は、前記縦支持材の下方に配するものであって、望ましくは側方を縦支持材に固定するものであって、特にその他の構成については限定するものではなく、後述する図示実施例のように縦支持材に弾性的に嵌合するための構成（嵌合部）を具備するものでもよい。
【００３２】
この取付基材は、前述のように縦支持材の下方に配するものであって、望ましくは側方を縦支持材に固定するものであり、さらにはその上方、すなわち縦支持材の下面との間に空間が形成されるように取り付けられることが望ましく、この場合、外設部材を取り付けるための取付金具の先端（上端）が、前記空間に位置するように打ち込むことにより、縦支持材の排水部の底部に孔を開けて漏水を生ずることがなく外設部材を容易に取り付けることができる。
また、この取付基材は、長尺材であっても複数のピース材であってもよく、その配設位置は、前記縦支持材の任意の位置でよいので、屋根面の任意の位置に外設部材を取り付けることができる。
【００３３】
前記取付基材に取り付けられる外設部材としては、蛍光灯を後述する図示実施例にて説明するが、それに限定するものではなく、屋根面に適用される外設部材であれば、送風機でも、発熱体でもよいし、回転機能を具備するＰＯＰ材などでもよい。
前記取付基材が長尺材であれば、その長さ方向の任意の位置に取り付けることができ、また複数のピース材であれば、それらに跨るように取り付けるようにしてもよい。
また、この外設部材は、前記取付基材に対して取り付けられるものであれば、その取付手段（取付構成）を何ら限定するものではなく、公知のどのような手段により取り付けるようにしてもよい。
【００３４】
また、桁行き方向に隣接する太陽電池パネル間には、縦桟カバーを配してもよい。この縦桟カバーは、後述する図示実施例のように縦支持材に取付受部材を介して連結ボルトにて取り付けるようにしてもよいし、太陽電池パネルの周縁のフレームに固定するようにしてもよく、その取付手段は特に限定するものではない。
同様に、流れ方向に隣接する太陽電池パネル間には、横桟カバーを配してもよい。この横桟カバーは、後述する図示実施例のように横支持材に連結ボルトにて取り付けるようにしてもよいし、太陽電池パネルの周縁のフレームに固定するようにしてもよく、その取付手段は特に限定するものではない。
【実施例１】
【００３５】
図１〜図３に示す本発明の第１実施例の取付構造は、太陽電池１１を備える太陽電池パネル１と、その桁行き方向に沿うフレーム１２Ａ，１２Ｂを支持する横支持材２と、流れ方向に沿うフレーム１２Ｃ，１２Ｄを支持する縦支持材３と、この縦支持材３の下面を覆う取付基材８と、該取付基材８に取り付ける外設部材９と、からなる構成である。
なお、太陽電池パネル１の周縁のフレームのうち水上側を１２Ａとし、水上側を１２Ｂとし、左方側を１２Ｃとし、右方側を１２Ｄとした。
【００３６】
前記太陽電池パネル１は、太陽電池１１の周縁にフレーム１２Ａ〜１２Ｄを配したものであり、各フレーム１２Ａ〜１２Ｄは、図３（ａ）に示すようにシール材１３を介して太陽電池１１の端縁を保持する略コ字状の保持部１２１を備え、前記保持部１２１から下方へ延在して横支持材２、縦支持材３に支持される略Ｌ字状の被支持部１２２を備える簡易な構成である。また、この太陽電池パネル１の横方向（桁行き方向）の接続部分の表面には縦桟カバー６を、流れ方向の接続部分の表面には横桟カバー７を配して接続している。
【００３７】
前記縦支持材３は、図１に示すように躯体としての梁５上に固定されるものであり、躯体５への固定部３１と、前記太陽電池パネル１の縦方向（流れ方向）に沿う端縁を支持する支持部３５１と、流れ方向に連続する排水部３２と、後述する取付基材８を弾性的に嵌合するための被嵌合部３４２と、を備える縦桟である。
図示実施例の縦支持材３は、図３（ｄ）に示すように底面部の左右の端縁に、それぞれ途中で外側へ分岐する側壁３４，３４を備え、その内側に上方へ延在する起立片３５，３５を備え、この起立片３５，３５の上端（略Ｔ字状部分）が前記太陽電池パネル１を支持する前記支持部３５１となっている。前記起立片３５，３５間が太陽電池１１のケーブル１１１を収容する収容空間であり、側壁３４と起立片３５との間に排水部３２が形成されている。
【００３８】
図示実施例の固定部３１は、縦支持材３の底面部を指し、リップ溝付きＣ形鋼である梁（母屋）５上の所定部分に配置され、略中央の隆起部３１１の頂部に上方からビス状の固定金具３ａを母屋５の上フランジに留め付けて固定する構成である。なお、固定金具３ａの留め付け状況は図２に示す通りであるが、後述する取付基材８や外設部材９を貫通するような誤解を与えないように、意図的に図１には表していない。
【００３９】
図示実施例の排水部３２は、前述のように側壁３４と起立片３５との間に形成されるものであり、左右それぞれに形成される。
この排水部３２，３２の側面部を兼ねる側壁３４，３４の上端には、後述する左右の横支持材２，２の流水部２２，２２の端縁（固定部２１）の裏面を受け止め支持する内側フランジである受部３５１，３５１が設けられている。なお、この受部３４１の先端には下向きに折曲片が設けられ、側壁３４の分岐片には内側へ突出する突出片が設けられ、後述する縦化粧材４の嵌合部４２を弾性的に保持する被嵌合部３７を形成している。
そして、この排水部３２内に導かれた雨水や結露水などは、流れ方向に沿って水下方向へ排水される。
【００４０】
図示実施例の支持部３５１は、前述のように前記起立片３５，３５の上端の略Ｔ字状部分を指し、太陽電池パネル１，１の左方側及び右方側のフレーム１２Ｃ，１２Ｄの被支持部１２２，１２２を受け止め支持している。
【００４１】
また、図示実施例の支持部３５１には、縦桟カバー６を取り付けるための取付受部材３Ｂと連結ボルト３ｃが取り付けられている。
この取付受部材３Ｂは、図３（ｃ）に示すようにその左右の下端に、前記縦支持材３の支持部３５１の下端に係止する係止部３８を備え、その略中央に形成された対向状の起立片の外側に、縦桟カバー６の連結部６１と係合する突起状の被連結部３９を備えるピース材である。また、この取付受部材３Ｂの対向状の起立片間には、下方から取り付けられた連結ボルト３ｃが上方へ延在する構成である。
【００４２】
縦桟カバー６は、図１に示すように弾性材６ｂ，６ｂを介して桁行き方向に隣接する太陽電池パネル１，１のフレーム１２Ｃ，１２Ｄ間に固定されるものであり、略平坦状の上面部６２の裏面側から下方へ向かって垂下する対向状の縦片の外側に突起状の連結部６１が形成される構成である。なお、図中、６ａは、連結ボルト３ｃの上端を縦桟カバー６の上面部６２上にて締め付けるナットと留め付けるナットを示す。
前記上面部６２は、桁行き方向に隣接する太陽電池パネル１，１に跨るように配され、連結ボルト３ｃを挿通する通孔が形成され、前記連結部６１は、前記取付受部材３Ｂの被連結部３９に弾性的に嵌合させる。
【００４３】
そして、このような縦桟カバー６の支持構造では、連結ボルト３ｃの下端に取付受部材３Ｂが、上端に縦桟カバー６が配された間に太陽電池パネル１が挟まれる状態となる。そのため、ナット６ａの締め付けにより、取付受部材３Ｂが支持部３５１の下端に強固に係止し、さらに縦桟カバー６との間に太陽電池パネル１の端縁を上下から挟むので、縦支持材３から取付受部材３Ｂと太陽電池パネル１及び縦桟カバー６が一体的に固定されるものとなる。
【００４４】
前記横支持材２は、前記太陽電池パネル１の水上側の端縁及び水下側の端縁を支持する横桟であって、縦支持材３に固定される固定部２１と、雨水を桁行き方向に流す略樋状の流水部２２と、太陽電池パネル１を支持して固定する支持部２３とを備え、前記太陽電池パネル１の横方向（桁行き方向）の寸法（長さ）と略同一に形成された定尺材である。
図示実施例の横支持材２は、図３（ｆ）に示すように底面部の左右の端縁に、後述する縦化粧材４と略同一高さの側壁２４，２４を備え、その内側に上方へ延在する中央隆起部を備え、該中央隆起部の側面を構成する起立片２５，２５の上端（略Ｔ字状部分）が前記太陽電池パネル１を支持する前記支持部２３となっている。前記側壁２４と前記起立片２５との間が、前記流水部２２が形成される空間であり、太陽電池１１のケーブル１１１を収容する収容空間でもある。
【００４５】
図示実施例の固定部２１は、流水部２２の底面部の桁行き方向の端縁を指し、前記縦支持材２の受部３４１に上方からビス状の固定金具２ａを固定し、この固定金具２ａは前記排水部３２内にて留め付けられている。
【００４６】
前記横支持材２の流水部２２は、前述のように側壁２４と起立片２５との間に形成されるものであり、左右それぞれに形成される。
そして、この流水部２２の底面部の桁行き方向の端縁である固定部２１を前述のように前記縦支持材３の受部３４１に固定金具２ａで固定したので、排水部３２より上方に位置している。
【００４７】
図示実施例の支持部２３は、前述のように前記起立片２５，２５の上端の略Ｔ字状部分を指し、太陽電池パネル１，１の水上側及び水下側のフレーム１２Ａ，１２Ｂの被支持部１２２，１２２を受け止め支持している。
【００４８】
また、図示実施例の支持部２３には、横桟カバー７を取り付けるための連結ボルト２ｂを保持する保持部２６が取り付けられている。
この保持部２６は、図３（ｅ）に示すように前記支持部２３から上方に延在する縦部２７の上端に設けられている。
【００４９】
横桟カバー７は、図３（ｅ）に示すように流れ方向に隣接する太陽電池パネル１，１のフレーム１２Ａ，１２Ｂ間に固定されるものであり、略平坦状の上面部７１の裏面側から下方へ向かって垂下する対向状の縦片の間に連結ボルト２ｂを挿通する通孔が形成されている。なお、図中、７ａは、連結ボルト２ｂの上端を縦桟カバー７の上面部７１上にて締め付けるナットと留め付けるナットを示す。
【００５０】
前記取付基材８は、前述のように縦支持材３の下面を覆うように取り付けられるものであって、側方から固定具８ａ，８ａを打ち込むことにより縦支持材３の側壁３４の上端に固定されるものである。
【００５１】
図示実施例の取付基材８は、図３（ｅ）に示すように横面部８１の左右側縁に上向きの傾斜面部８２，８２が形成された断面略Ｕ字状であり、傾斜面部８２，８２の上端には、前記縦支持材３の側壁３４に形成された被嵌合部３４２に側方（外側）から弾性的に嵌合する嵌合部８３が設けられている。
この取付基材８を、前記縦支持材３の被嵌合部３４２に下方から弾性的に嵌合させた状態で固定具８ａ，８ａを側方から打ち込んで固定するが、この状態で、横面部８１と縦支持材３の下面との間には空間８４が形成されるように取り付けられる。この空間８４は、後述する外設部材９を取付金具９ａにて取付基材８に固定する際に、その先端（上端）が縦支持材３の排水部３２の底部に孔を開けないようにするための空間である。
【００５２】
前記外設部材９は、この図示実施例では蛍光灯であり、その光源９１を保持して保護するカバー９２の上面に、ビス状の取付金具９ａを前記取付基材８の横面部８１に下方から打ち込んで固定する構成とした。
【００５３】
また、図示実施例の外装構造には、流れ方向に隣接する前記横支持材２，２の配設間隔の隙間を覆うように縦化粧材４を取り付けている。
この縦化粧材４は、図３（ｂ）に示すように平板状の化粧面部４１の下端に、前記縦支持材３の被嵌合部３７と弾性的に嵌合する二股状の嵌合部４２が設けられ、前記縦支持材３の側壁上端に取り付けられるものであり、前記化粧面部４１には、ケーブル１１１を抜き出すための通孔４１１が設けられている。
【００５４】
これらの各部材から構成される本発明の外設部材９の取付構造は、縦支持材３の下方に取付基材８を配し、側方から固定具８ａにて固定し、該取付基材８に外設部材９を取り付けるので、任意の位置に外設部材９を取り付けることができる。
【００５５】
また、図示実施例では、取付基材８が嵌合部８３を備え、縦支持材３に設けた被嵌合部３４２に弾性的に嵌合する構成を採用したので、下方から押し付けるだけの簡単な操作で取付基材８を取り付けることができ、固定具８ａの打ち込み作業に際して、下方から保持した状態で行う必要が無く、容易に固定具８ａを打ち込むことができる。
【００５６】
また、図示実施例では、取付基材８は、縦支持材３の下面との間に空間８４を隔てて固定したので、外設部材９を取付基材８に固定する際に、取付金具９ａの先端（上端）が縦支持材３に達しないように下方から打ち込むことでき、縦支持材３の排水部３２の底部に孔を開けることがないため、漏水を生ずることがない。なお、図示実施例の縦支持材３には、排水部３２と隔離する支持部３１が設けられているので、裏面側から取付金具をこの支持部３１に打ち込んでも漏水を生ずることがない。また、排水部３２に隆起部を設けるようにした場合には、この隆起部に裏面側から取付金具を打ち込むようにしても漏水を生ずることなく取り付けることができる。
【００５７】
また、図示実施例では、横支持材２は流水部２２を備え、縦支持材３は排水部３２を備え、前記流水部２２と前記排水部３２とを連絡させているので、雨水が太陽電池パネル１の端縁から裏面側へ浸入しても、横支持材２の流水部２２から、縦支持材３の排水部３２に導かれ、水下側へ流下させることができる。
【００５８】
さらに、図示実施例では、外設部材９が蛍光灯であるため、天井部分付近が明るく照らされ、広い室内空間を意識させることができる。また、太陽電池パネル１と共に、採光板を備える採光パネルを取り付けることにより、日中は、採光パネルによる日差しを室内に取り入れることができ、夜間は蛍光灯が室内を照らすことができ、一日中にわたって明るい室内空間を形成することに寄与するものとなる。
【符号の説明】
【００５９】
１  太陽電池パネル
１１  太陽電池（太陽エネルギー変換モジュール）
１１１  ケーブル
１２，１２Ａ，１２Ｂ，１２Ｃ，１２Ｄ  フレーム
２  横支持材
２１  固定部
２２  流水部
２３  支持部
２４  側壁
２５  起立片
３  縦支持材
３１  固定部
３２  排水部
３４  側壁
３４１  受部
３４２  被嵌合部
３５  起立片
３５１  支持部
３７  被嵌合部
３ａ  固定金具
３Ｂ  取付受部材
３ｃ  連結ボルト
４  縦化粧材
４１  化粧面部
４２  嵌合部
５  躯体（梁、母屋）
６  縦桟カバー
６ａ  ナット
７  横桟カバー
７ａ  ナット
８  取付基材
８１  横面部
８２  傾斜面部
８３  嵌合部
８ａ  固定具
９  外設部材（蛍光灯）
９１  光源
９２  カバー
９ａ  取付金具
【図１】
0005382582.tif 000002
【図２】
0005382582.tif 000003
【図３】
0005382582.tif 000004